(57)【要約】【課題】吸収性物品の表面シートに多量の経血が与えられたときに、この経血を表面シートの下で一時保持して、液吸収層に速やかに移行させることができるようにする。【解決手段】生理用ナプキン１の中央領域２０に、表面シート３と液透過層５を貫通する液透過孔２５が形成され、その下には吸水性シート８を立体形状とした液獲得層６が設けられている。この液獲得層６は縦方向に延びる縦リブ６ａと、縦リブ６ａを繋ぐ少し低い横リブ６ｂと、縦リブ６ａと横リブ６ｂで囲まれた凹部６ｃが形成されている。液透過孔２５を透過した経血は凹部６ｃで保持され、凹部６ｃの底部から液吸収層４に速やかに吸収される。【選択図】    図３
2004181087.tif 000002
【特許請求の範囲】
【請求項１】
肌側表面に位置する液透過性の表面シートと、着衣側表面に位置する裏面シートと、前記表面シートと前記裏面シートとの間に位置する液吸収層とを備えた吸収性物品において、
前記液吸収層の前記表面シートに向く表面に液獲得層が設置されており、前記液獲得層は、吸水性シートが、その厚み方向に向けて立体的に変形した状態を保つものであり、
その立体形状は、前記表面シートに向けて凸状で且つ縦方向に延びる縦リブが互いに平行に形成されているとともに、前記表面シートに向けて凸状で且つ横方向に延びる横リブが、縦方向に間隔を開けて前記縦リブ間を繋ぐように形成され、前記縦リブと横リブとで囲まれた多数の凹部が前記液吸収層に向けて窪んで形成されており、
少なくとも前記縦リブが、前記表面シートに接し、あるいは表面シートの下に位置する液透過層に接し、前記凹部の底部が前記液吸収層に接していることを特徴とする吸収性物品。
【請求項２】
前記凹部の底部から前記横リブの頂部までの高さ寸法が、前記凹部の底部から前記縦リブの頂部までの高さ寸法よりも低い請求項１記載の吸収性物品。
【請求項３】
それぞれの前記凹部は、横方向の幅寸法よりも縦方向の長さ寸法が長い縦長である請求項１または２記載の吸収性物品。
【請求項４】
１つの凹部の空間容積が８〜８０ｍｍ３である請求項１ないし３のいずれかに記載の吸収性物品。
【請求項５】
前記液獲得層は、前記吸水性シートが立体的に変形させられる際の引っ張り応力の集中により繊維間の間隔が広げられて低密度とされた部分を有する請求項１ないし４のいずれかに記載の吸収性物品。
【請求項６】
前記液獲得層には、前記縦リブよりも幅が広い平坦部が、縦方向に連続して形成されている請求項１ないし５のいずれかに記載の吸収性物品。
【請求項７】
前記液獲得層は、複数枚の前記吸水性シートが重ねられて、この複数枚の吸水性シートが一緒に立体形状とされたものである請求項１ないし６のいずれかに記載の吸収性物品。
【請求項８】
乾燥状態の前記液獲得層を縦方向に引っ張ったときの破断強度が２５ｍｍ幅あたり２．５Ｎ以上である請求項１ないし７のいずれかに記載の吸収性物品。
【発明の詳細な説明】
【０００１】
【発明の属する技術分野】
本発明は、女性性器から排泄される経血などの吸収に適した吸収性物品に係り、特に、表面シートと液吸収層との間に、液を吸収して前記液吸収層に与える液獲得層が設けられた吸収性物品に関する。
【０００２】
【従来の技術】
女性性器から排泄される経血を吸収する吸収性物品の一般的な構造は、肌側表面に位置する液透過性の表面シートと、着衣側表面に位置する液不透過性の裏面シートと、前記表面シートと裏面シートの間に介在する液吸収層とを有するものであり、通常は下着のクロッチ布の内面に前記裏面シートが感圧接着層を介して接着された状態で着用される。
【０００３】
この種の吸収性物品では、表面シートに一時に多量の経血が与えられると、表面シートに経血が長時間残ることになって、股間部に湿潤感を与え着用者に不快を与えることになる。そこで、一時に多量の液体が与えられたときに、その液体を表面シートの下で拡散させたり、表面シートの下で保持させる工夫がなされたものがある。
【０００４】
以下の特許文献１には、表面シートと液吸収層との間に、液体搬送帯が設けられた生理用ナプキンが開示されている。
【０００５】
前記液体搬送帯は、不織布に凹状のスクリーンパターンを多数形成したものである。このスクリーンパターンは、所定の厚みの不織布を一方の面から圧縮して高繊維密度部を形成したエンボスパターン、および前記不織布を両面から圧縮して薄膜要素を形成したエンボスパターンであり、これら両エンボスパターンが生理用ナプキンの縦方向（長手方向）に向けて配列されている。この液体搬送帯は、表面シートを透過した経血の移動を、前記薄膜要素で規制して前記高繊維密度部を通るように迂回させ、これにより経血を縦方向に拡散させて、表面シートでの液残りを防止しようとするものである。
【０００６】
次に、特許文献２は、使い捨ておむつにおいて、表面シートと液吸収層との間に、液透過性シートを介在させたものが開示されている。
【０００７】
前記液透過性シートは、不織布や紙が立体的に変形させられて、多数の凹部とこの凹部を仕切る網目状の凸部とが形成されている。この使い捨ておむつは、一度に多量の液が与えられたときに、前記液透過性シートの凹部で液を一旦保持することで、液がおむつの面に沿って流れるのを防止しようとするものである。
【０００８】
【特許文献１】
特開平６−３８９９８号公報
【特許文献２】
特開２０００−１４００１５号公報
【０００９】
【発明が解決しようとする課題】
前記特許文献１に記載の液体搬送帯は、表面シートを透過した液を長手方向に拡散させることができるかもしれないが、液体搬送帯そのものの液体の保持能力および液体の透過能力が低いために、液体搬送帯に多量の経血が与えられるとすぐに飽和して滞留しやすい。すなわち、この液体搬送帯は、メルトブロウ不織布などにエンボスパターンを形成したものであるが、メルトブロウ不織布は平坦な状態のまま使用されているため、それ自体が局部的に与えられた多量の液体を保持できるものではない。まして、前記不織布に形成したエンボスパターンはその凹部の空間容積がきわめて微小であるため、エンボスパターンの凹部内においても液体をほとんど保持することができない。それどころか、メルトブロウ不織布自体が密度が高く液体の透過性が劣るのに加えて、さらに前記薄膜要素で液体の透過を遮断しているため、液体の透過能力が低い。
【００１０】
次に、特許文献２に記載の液透過性シートは、三角形の凹部に尿を溜めて、平面的に拡散するのを抑制しようとしているが、網目状の凸部により液体の拡散を抑制しているために、前記凹部内で尿がすぐに飽和してしまう。よって、この液透過性シートを生理用ナプキンに適用した場合、尿よりも粘度の高い経血が前記凹部に集中すると、この凹部内で滞留しやすい。また、特許文献２では、前記液透過性シートの好ましい例として紙で形成されるものとなっているが、このような紙で形成された液透過性シートを生理用ナプキンに用いた場合、股間部から与えられる圧力により直ちに凹部が潰れてしまい、また生理用ナプキンに位置ずれ力が作用したときに液透過性シートが破れやすい。
【００１１】
本発明は上記従来の課題を解決するものであり、多量の液体が与えられたときにこれを一時的に保持できるとともに、液吸収層にスムーズに移行させることができ、表面シートでの液残りを低減させることのできる吸収性物品を提供することを目的としている。
【００１２】
【課題を解決するための手段】
本発明は、肌側表面に位置する液透過性の表面シートと、着衣側表面に位置する裏面シートと、前記表面シートと前記裏面シートとの間に位置する液吸収層とを備えた縦長の吸収性物品において、
前記液吸収層の前記表面シートに向く表面に液獲得層が設置されており、前記液獲得層は、吸水性シートが、その厚み方向に向けて立体的に変形した状態を保つものであり、
その立体形状は、前記表面シートに向けて凸状で且つ縦方向に延びる縦リブが互いに平行に形成されているとともに、前記表面シートに向けて凸状で且つ横方向に延びる横リブが、縦方向に間隔を開けて前記縦リブ間を繋ぐように形成され、前記縦リブと横リブとで囲まれた多数の凹部が前記液吸収層に向けて窪んで形成されており、
少なくとも前記縦リブが、前記表面シートに接し、あるいは表面シートの下に位置する液透過層に接し、前記凹部の底部が前記液吸収層に接していることを特徴とするである。
【００１３】
本発明の吸収性物品では、表面シートを透過した経血が液獲得層に形成された凹部内に一時的に保持されるが、液獲得層は吸水性シートを立体的に変形させたものであるため、不織布に形成されたエンボスパターンに比較して凹部の空間容積を大きくでき、凹部内に多くの経血を一時的に保持できる。しかも吸水性シートで形成された凹部の底部が液吸収層に接しているため、凹部内の経血は吸水性シートを透過して直ちに液吸収層に移行でき、凹部内で長期間経血が溜まるのを防止できる。また、縦リブが物品の長手方向である縦向きに延び、この縦リブが表面シートや液透過層に接しているため、凹部に保持された液が縦方向に向けて案内され、横方向への拡散が抑制されやすくなる。よって経血は横方向への漏れを生じること無く液吸収層に浸透しやすくなる。
【００１４】
また、本発明は、前記凹部の底部から前記横リブの頂部までの高さ寸法が、前記凹部の底部から前記縦リブの頂部までの高さ寸法よりも低いものである。
【００１５】
この液獲得層は、経血を凹部内で受けて直ちに液吸収層に浸透させるものであるが、仮に凹部内に一時に多量の経血が与えられたとしても、この経血が低い横リブを越えて縦方向に並ぶ凹部に移行できるため、横方向への拡散を防止しやすい。
【００１６】
そのためには、それぞれの前記凹部は、横方向の幅寸法よりも縦方向の長さ寸法が長い縦長であることが好ましい。
【００１７】
また本発明では、１つの凹部の空間容積が８〜８０ｍｍ３であることが好ましい。
【００１８】
１つの凹部の空間容積が前記範囲内であると、粘度の高い体液である経血が、液獲得層を透過するまでの間、凹部が経血を保持することができ、多くの経血が短時間に与えられたとしても、この経血が凹部からあふれることが少なくなり、経血が表面シートに戻るのを防止でき、また経血が横方向へ拡散するのを防止できる。
【００１９】
また、本発明では、前記液獲得層は、前記吸水性シートが立体的に変形させられる際の引っ張り応力の集中により繊維間の間隔が広げられて低密度とされた部分を有するものである。
【００２０】
前記液獲得層に繊維密度が低くなっている部分が形成されていると、凹部内に一時的に保持された経血を直ちに液吸収層に移行させることができる。
【００２１】
また本発明は、前記液獲得層には、前記縦リブよりも幅が広い平坦部が、縦方向に連続して形成されているものである。
【００２２】
前記平坦部は、立体形状に成形する際の引っ張り力や圧縮力を受けない領域であり、強度が低下しておらず、また繊維密度が元の材質のままであり縦リブなどに比べて密度が低い領域となる。よって、吸収性物品を組み立てる際に、この平坦部を保持して液獲得層を組み立て工程に供給することができる。またこの平坦部は縦リブなどに比較して低い密度を維持できるため、この平坦部が縦方向に延びていると、この平坦部は経血が横方向に拡散するのを防止する拡散防止帯として機能できる。この平坦部は、液獲得層のどの位置に設けられていてもよいが、前記拡散防止帯としての機能を効果的に発揮させるためには、前記平坦部は液獲得層の両側部に形成されていることが好ましい。また平坦部が液獲得層の前後端部に設けられていてもよい。
【００２３】
また本発明では、前記液獲得層は、複数枚の前記吸水性シートが重ねられて少なくとも一部で吸水性シートどうしが接着され、この複数枚の吸水性シートが一緒に前記立体形状とされたものとして構成できる。
【００２４】
液獲得層を複数枚の吸水性シートで構成すると、目付けを高くできて液の吸収保持能力が高くなり、さらに縦リブや横リブの強度を高くできる。さらに凹部の壁部が低密度となりあるいは亀裂が生じても、この壁部が複数枚のシートで形成されていると、低密度の部分や亀裂が形成される部分が一箇所に集中しなくなり、前記壁部の強度の極端な低下を防止できる。よって、吸収性物品が湿潤状態となったときにも、凹部の形状を常に維持できるようになる。
【００２５】
また、本発明では、乾燥状態の前記液獲得層を縦方向に引っ張ったときの破断強度が２５ｍｍ幅あたり２．５Ｎ以上であることが好ましい。
【００２６】
前記強度を有ししかも吸水機能を発揮するためには、吸水性シートはセルロース系繊維と合成樹脂繊維とで形成されていることが好ましい。また、前記強度を有すると、身体からの圧力を受けても立体形状を保ちやすく、凹部の空間容積を長期間維持できるようになる。
【００２７】
【発明の実施の形態】
本発明の吸収性物品は、女性の膣口から排泄される経血を吸収することを主な目的とする生理用ナプキンとして使用される。また吸収性物品の２つの表面のうち股間部に向けられる表面を肌側表面とし、反対側の表面は、その外側に着衣が着用されるか否かに拘らず着衣側表面と表現する。
【００２８】
本明細書での縦方向中心線とは、吸収性物品を横方向に二分して縦方向に延びる線を意味する。一方、以下の第１の実施の形態では吸収性物品を縦方向に二分する横方向に延びる線を横方向基準線としているが、この横方向基準線は必ずしも吸収性物品を縦方向に二分する位置を横断していることを意味せず、例えば第２の実施の形態のように女性が就寝時に着用するのに適した縦方向に長い吸収性物品であって、ウイング部が前方部分に位置しているものでは、肌側表面を身体に装着したときに、膣口に当たる部分での縦方向の中心を通る線を横方向基準線とする。
【００２９】
図１は本発明の吸収性物品の第１の実施の形態として生理用ナプキン１を肌側表面を上向きにして示した平面図、図２は、図１の生理用ナプキンが下着のクロッチ布に取り付けられた状態を示すものであり、横方向基準線で切断したＩＩ−ＩＩ矢視の断面図、図３は前記生理用ナプキンの中央領域を示す拡大断面図、図４は液獲得層を示す斜視図、図５は図４をＶ−Ｖ線で切断した断面図、図６は図４をＶＩ−ＶＩ線で切断した断面図である。
【００３０】
生理用ナプキン１は、縦方向中心線Ｏｙ−Ｏｙから横方向に等距離を開けて縦方向に延びる右側縁部１ａと左側縁部１ｂを有し、横方向基準線Ｏｘ−Ｏｘから前後に等間隔を開けた凸曲線形状の前縁部１ｃおよび後縁部１ｄを有している。
【００３１】
前記右側縁部１ａと左側縁部１ｂは、横方向基準線Ｏｘ−Ｏｘを含む縦方向の所定の長さ範囲において左右両側に突出し、この突出部分でウイング部１Ａ，１Ａが形成されている。
【００３２】
図２の断面図に示すように、この生理用ナプキン１は、着衣側表面に現れる液不透過性の裏面シート２と、肌側表面に現れる液透過性の表面シート３を有している。前記裏面シート２と前記表面シート３との間には液吸収層４が介在している。表面シート３の下には液透過層５が設けられ、液透過層５と前記液吸収層４との間に液獲得層６が設けられている。
【００３３】
生理用ナプキン１は、少なくとも表面シート３と前記液吸収層４とが局部的に加圧され且つ加熱されて、肌側表面に現れる圧縮溝１０が形成されている。この圧縮溝１０は、加熱ロールを用いたエンボス加工によって形成される。前記液吸収層４と表面シート３が重ねられた状態で、液吸収層４の表面にフラット面の加熱ロールが当てられ、表面シート３の表面にエンボスパターンの凸部を有する加熱ロールが当てられて、加圧され且つ加熱されて圧縮溝１０が形成される。
【００３４】
前記圧縮溝１０では、前記液吸収層４および表面シート３がほぼフィルム状に圧着された高密度圧縮部と、フィルム状にはなっていないが圧縮溝１０以外の領域よりも高密度となった中密度圧縮部とが、交互に形成されている。この高密度圧縮部と中密度圧縮部とを有する圧縮溝が、生理用ナプキン１の肌側表面から裏面シート２側へ窪む凹溝として形成されている。
【００３５】
図１に示すように、前記圧縮溝１０は符号１１ないし１６で示す各圧縮溝に区分される。
【００３６】
縦方向中心線Ｏｙ−Ｏｙから右側と左側に等距離を開けた位置に、縦方向に延びる内側圧縮溝１１，１１が形成されている。前記内側圧縮溝１１，１１は、横方向基準線Ｏｘ−Ｏｘの部分でその対向間隔が狭くなるように、縦方向中心線Ｏｙ−Ｏｙに凸側が向けられる円弧曲線となっている。前記内側圧縮溝１１と内側圧縮溝１１は、前方連結圧縮溝１２と後方連結圧縮溝１３により互いに連結されている。前方連結圧縮溝１２は、前縁部１ｃに凸側が向けられる曲線形状であり、後方連結圧縮溝１３は後縁部１ｄに凸側が向けられる曲線形状である。
【００３７】
前記内側圧縮溝１１，１１と前記前方連結圧縮溝１２との交点から、前縁部１ｃに向けて一対の前方延長圧縮溝１４，１４が形成されており、この前方延長圧縮溝１４，１４は、縦方向中心線Ｏｙ−Ｏｙに対して左右に等距離に配置されている。また、内側圧縮溝１１，１１と前記後方連結圧縮溝１３との交点から、後縁部１ｄに向けて一対の後方延長圧縮溝１５，１５が形成されている。この後方延長圧縮溝１５，１５は、縦方向中心線Ｏｙ−Ｏｙに対して左右に等距離に配置されている。
【００３８】
前記内側圧縮溝１１，１１、前方連結圧縮溝１２、後方連結圧縮溝１３、前方延長圧縮溝１４，１４、および後方延長圧縮溝１５，１５は、全て連続して形成されている。また、前記内側圧縮溝１１，１１、前方連結圧縮溝１２、および後方連結圧縮溝１３により、生理用ナプキン１の肌側表面の所定範囲が囲まれて、この囲まれた範囲が中央領域２０となっている。この中央領域２０は、縦方向中心線Ｏｙ−Ｏｙに対して左右対称形状であり、また横方向基準線Ｏｘ−Ｏｘに対しても前後に対称形状である。
【００３９】
内側圧縮溝１１，１１の左右両外側には、外側圧縮溝１６，１６が形成されている。この外側圧縮溝１６，１６は、前記横方向基準線Ｏｘ−Ｏｘを中心として縦方向の前後の所定長の範囲に形成されている。前記外側圧縮溝１６，１６は、前記内側圧縮溝１１，１１と相似の曲線形状であり、内側圧縮溝１１，１１と一定の間隔を保って形成されている。
【００４０】
図１に示すように、前記液透過層５は、縦方向に細長い帯状であり、その両側縁部５ａ，５ａは左右の内側圧縮溝１１，１１と重複することがなく、前記内側圧縮溝１１，１１の内側に位置している。また液透過層５は、前方連結圧縮溝１２を超えて前縁部１ｃまで延びており、且つ後方連結圧縮溝１３を超えて後縁部１ｄまで延びている。前記前方連結圧縮溝１２と後方連結圧縮溝１３の一部で、表面シート３と前記液吸収層５および液吸収層４が一緒に圧縮されている。
【００４１】
前記液獲得層６は長方形であり、両側縁部６ｈ，６ｈは、前記内側圧縮溝１１，１１を超えて左右外側に位置している。また前縁部６ｉと後縁部６ｊは、前方連結圧縮溝１２および後方連結圧縮溝１３よりも横方向基準線Ｏｘ−Ｏｘに近い位置にある。前記内側圧縮溝１１，１１の一部において、前記表面シート３と液獲得層６および液吸収層４が一緒に圧縮されている。
【００４２】
前記中央領域２０には、多数の液透過孔２５が規則的に配列して設けられている。図３に示すように、前記液透過孔２５が、表面シート３を貫通して液透過層５に至るように形成されており、好ましくは前記液透過孔２５が、表面シート３から液透過層２５を貫通して形成されている。また、液透過層５の側縁部５ａ，５ａから外れる部分では、前記表面シート３のみに液透過孔２５が形成されている。
【００４３】
前記液透過孔２５の開孔面積は０．２〜８ｍｍ２であり、この実施の形態では円形の液透過孔２５の直径が０．５〜３．２ｍｍである。隣接する液透過孔２５の中心間距離は１．５〜８ｍｍである。
【００４４】
前記表面シート３と液透過層５は熱融着が可能な熱可塑性繊維を含んでいる。表面シート３と液透過層５とが重ねられた状態で、表面シート３から液透過層５側に向けて前記針またはピンを差し込んで、抜き取ることにより液透過孔２５が形成される。液透過孔５の内面およびその周囲では、表面シート３に含まれる熱可塑性繊維と、液透過層５に含まれる熱可塑性繊維とが互いに融着される。これにより、液透過孔２５の開孔形状を維持できるとともに、液透過層５によって液透過孔２５の開孔周囲が補強される。また前記熱融着によって表面シート３と液透過層５とが接合されるため、表面シート３と液透過層５とを接着剤で接着する必要が無くなり、接着剤によって液の透過が阻害されることがない。
【００４５】
前記表面シート３は、エアースルー不織布で形成される。このエアースルー不織布は、芯部が酸化チタンを含んだポリエチレンテレフタレート（ＰＥＴ）で、鞘部がポリエチレン（ＰＥ）の芯鞘型複合合成繊維を用い、この繊維を熱風によって接合したものであり、目付けは１５〜６０ｇ／ｍ２程度である。また表面シート３を構成している前記複合合成繊維は、親水性油剤がコーティングされたものと、撥水性油剤がコーティングされたものとが混合されたものであり、撥水性油剤がコーティングされた繊維の混合率は１０〜３０質量％である。表面シート３に撥水性油剤がコーティングされた繊維を前記混合率となるように均一に含ませることで、表面シート３に与えられた経血が表面シート３内で拡散しすぎるのを抑制でき、経血は主に液透過孔２５を透過して液吸収層４に与えられるようになる。
【００４６】
ただし、前記表面シート３は液透過孔２５以外の領域でも経血を液透過層５に向けて透過させることができる。このような液透過機能を発揮するためには、表面シート３の密度は０．１２ｇ／ｃｍ３以下であることが好ましく、その下限は０．０２５ｇ／ｃｍ３程度である。
【００４７】
液透過層５は、芯部がポリプロピレン（ＰＰ）で鞘部がポリエチレン（ＰＥ）の芯鞘型複合合成繊維で形成されたエアースルー不織布で形成される。液透過層５のエアースルー不織布は、親水性油剤がコーティングされた繊維のみで形成され、撥水性油剤がコーティングされた繊維は含まれていない。図３に示す実施の形態では、液透過層５は前記エアースルー不織布を複数枚重ねて構成されており、例えば１枚のエアースルー不織布が２枚重ね３枚重ねあるいは４枚重ねとなるように折り畳まれたものが使用される。１枚のエースルー不織布の目付けは１５〜５０ｇ／ｍ２程度であり、液透過層５全体の目付けは３０〜１５０ｇ／ｍ２程度であればよく、さらに好ましくは５０〜１００ｇ／ｍ２である。
【００４８】
液透過層５の目付けを表面シート３の目付けよりも大きくすることにより、目付けおよび密度の低い表面シート３を補強でき、表面シート３に過大な皺が生じたり液透過孔２５の部分から破れを生じることなどを防止できる。
【００４９】
液透過層５の繊維密度は表面シート３の繊維密度よりも低く、液透過層５の繊維密度は０．０１６〜０．０８ｇ／ｃｍ３である。また、例えば、表面シート３は繊度が２．２ｄｔｅｘの繊維で構成され、液透過層５は繊度が４．４ｄｔｅｘの繊維で構成されている。液透過層５の密度は表面シート３よりも低く、液透過層５が繊度の大きい繊維で形成されているため、液透過層５はクッション性を発揮できる。よって縦方向中心線Ｏｙ−Ｏｙを中心とする一定の幅の範囲に前記液透過層５を設けることにより、この一定の範囲が身体に与える接触感触を軟質にできる。
【００５０】
前記液獲得層６は、液の吸収機能と透過機能および形状保持性を有する吸水性シート８により、図４に示すように立体的に賦形されたものである。この実施の形態では吸水性シート８は、セルロース系繊維と合成樹脂繊維を含む。この実施の形態では、セルロース系繊維として化学パルプが使用され、合成樹脂繊維として芯部がポリエチレンテレフタレート（ＰＥＴ）で鞘部がポリエチレン（ＰＥ）の芯鞘型複合合成繊維が使用されたエアレイド不織布（エアレイドパルプ）である。このエアレイド不織布は、前記繊維が空間中で積層されてウエッブが形成され、エチレン酢酸共重合体のエマルジョンなどのバインダーが不織布全体の５〜２０質量％の範囲で含まれてシート状とされたものである。
【００５１】
液獲得層６が、経血を吸収して液吸収層４に向けて透過させるために、前記吸水性シート８には、繊維の合計に対して前記化学パルプが２０質量％以上含まれていることが好ましい。また図４に示す立体形状を経血を含んだ湿潤状態でも維持できるようにするためには、前記合成樹脂繊維も２０質量％以上含まれていることが好ましい。すなわち、吸水性シートを形成する化学パルプと合成樹脂繊維の質量比の好ましい範囲は、８０：２０〜２０：８０である。
【００５２】
液獲得層６を図４に示す立体状態に維持できるために、吸水性シート８の目付けは２０〜２００ｇ／ｍ２であることが好ましい。この目付けを維持するために吸水性シート８は、エアーレイド不織布が１枚で使用されてもよいし、あるいは折り畳んで２枚あるいは３枚重ねで使用されてもよい。
【００５３】
図４の立体形状とされた液獲得層６の乾燥時の引張り破断強度は、Ｘ方向とＹ方向の双方において幅２５ｍｍあたり２．５Ｎ以上であることが好ましい。この引っ張り破断強度は、幅２５ｍｍでＸ方向およびＹ方向に細長とされた液獲得層６の試験片のそれぞれを、１００ｍｍのチャック間距離で保持し、前記チャック間を１００ｍｍ／ｍｉｎで広げたときに測定される最大荷重である。なお、前記液獲得層６に後に説明する人工経血を吸収させた湿潤状態での引張り破断強度は、前記乾燥時の強度の２０％以上であることが好ましく、３０％以上であることがさらに好ましい。
【００５４】
前記、目付けおよび引張り強度を有するものであれば、液獲得層６は乾燥時および経血を吸収した湿潤時において、立体形状を維持しやすくなり、液獲得層６の凹部によって繰り返し与えられる経血を保持する機能を発揮できる。前記目付けおよび引っ張り破断強度を有するものであれば、液獲得層６は前記エアーレイド不織布以外のものであってもよい。
【００５５】
例えば、パルプのみをバインダーで接合したエアーレイド不織布であってもよい。あるいは、セルロース系繊維と合成樹脂繊維をウォータジェットで交絡させたスパンレース不織布であってもよい。または、セルロース系繊維であるパルプとレーヨンの少なくとも一方を主体とするスパンレース不織布と、合成樹脂繊維を主体とするエアースルー不織布とをウォータジェット処理や熱シールで一体化したものであってもよい。または前記スパンレース不織布とポイントボンド不織布、あるいは前記スパンレース不織布とスパンボンド不織布を同様にして一体化したものや、セルロース系繊維を主体としたスパンレース不織布と多数の開孔を有するフィルムとが接合されたものであってもよい。
【００５６】
また、液獲得層６を多種の繊維で形成する場合に、セルロース系繊維の含有率が、液透過層５に向く側で液吸収層４に向く側よりも高くなったものを使用すると、液透過層５から液獲得層６へ経血を引き込みやすくなる。逆に液吸収層４に向く側でセルロース系繊維の含有率を高くすると、液吸収層４へ経血を移行させやすくなる。
【００５７】
図４に示すように、液獲得層６は、表面シート３に凸側が向くように変形した縦リブ６ａと、同じく表面シート３に凸側が向くように変形した横リブ６ｂが形成されている。縦リブ６ａは縦方向（Ｙ方向）に直線的に延びて横方向に等間隔に位置して互いに平行に形成されている。横リブ６ｂは、隣り合う縦リブ６ａ，６ａを連結するように形成されている。横リブ６ｂは縦方向に一定の間隔を空けて平行に形成されているが、横方向に隣り合う横リブ６ｂは同一線上に位置しておらず、縦方向に並ぶ横リブ６ｂと、その隣で縦方向に並ぶ横リブ６ｂとが互い違いに位置するように配置されている。
【００５８】
前記縦リブ６ａと横リブ６ｂとで囲まれた部分に液吸収層４に向けて窪む凹部６ｃが形成されており、この凹部６ｃはＸ方向の幅寸法よりもＹ方向の長さ寸法の大きい縦長形状である。液獲得層６は多数の前記凹部６ｃが規則的に配列されたものである。
【００５９】
液獲得層６は、両側縁部６ｈ，６ｈから内側へ一定の幅寸法Ｗａの範囲が平坦部６ｆ，６ｆとなっており、この平坦部６ｆ，６ｆには前記凹部６ｃが形成されていない。この平坦部６ｆ，６ｆは、縦リブ６ａの後に説明する幅寸法よりも広く、平坦部６ｆの幅寸法Ｗａは縦リブ６ａの幅寸法の１．２〜１０倍以上であり、さらに好ましくは２〜５倍である。この実施の形態では、液獲得層６の両側部に平坦部６ｆ，６ｆが形成され、平坦部６ｆと平坦部６ｆとで挟まれた全領域に前記凹部６ｃが規則的に配列している。ただし、液獲得層６の前縁部６ｉおよび後縁部６ｊから内側への所定範囲が平坦部であってもよい。この場合、前縁部６ｉと後縁部６ｊからの平坦部の幅寸法は、横リブ６ｂの幅寸法の１．２〜１０倍以上であり、さらに好ましくは２〜５倍である。
【００６０】
図６に示すように、凹部６ｃの下面から縦リブ６ａの頂部までの高さ寸法ｈ１は、前記下面から横リブ６ｂの頂部までの高さ寸法ｈ２よりも高い。そして、図３に示すように、前記縦リブ６ａの頂部が、前記液透過層５の下面に接してホットメルト接着剤により接着されており、前記凹部６ｃの下面が、ホットメルト接着剤により液吸収層４の上面に接着されている。すなわち、それぞれの縦リブ６ａの頂部は同一平面上に位置して、それぞれの縦リブ６ａの頂部が液透過層５に接しており、それぞれの凹部６ｃの下面が同一平面上に位置しており、それぞれの凹部６ｃの下面が液吸収層４に接している。また、液獲得層６の前記平坦部６ｆ，６ｆも液透過層５の下面にホットメルト接着剤により接着されている。
【００６１】
前記ホットメルト接着剤は、液獲得層６の下面（着衣側に向く表面）と、液吸収層４の表面（肌側に向く表面）の一部にランダムに塗工されており、液透過層５から液獲得層６への経血の浸透と、液獲得層６から液吸収層４への経血の浸透が、前記ホットメルト接着剤により阻害されないようになっている。
【００６２】
前記のように、横リブ６ｂの頂部は、縦リブ６ａの頂部よりも低いため、多数存在している横リブ６ｂの少なくとも一部のものは、その頂部が液透過層５に接着されておらず、その横リブ６ｂの頂部と液透過層５との間には微小な隙間が形成されている。
【００６３】
後に説明するように、前記液獲得層６は、平坦な吸水性シート８を型ロールで挟んで立体形状に賦形したものである。この立体形状への賦形の際に、凹部６ｃの壁部６ｅに引っ張り応力が集中するために、この壁部６ｅでは繊維どうしを離す力が作用し、この壁部６ｅに、縦リブ６ａの頂部と横リブ６ｂの頂部および凹部６ｃの底部６ｄよりも繊維密度が低い部分が存在する。また前記壁部６ｅに、前記応力の集中により亀裂が生じる部分も存在している。ただし、縦リブ６ａの頂部と凹部６ｃの底部６ｄでは、吸水性シート８を形成している繊維が加圧されて、この部分では繊維密度が高くなっている。また、平坦部６ｆには成形時の圧力が作用しないため、平坦部６ｆは、縦リブ６ａの頂部および凹部６ｃの底部６ｄよりも密度が低くなっている。
【００６４】
また、液獲得層６の平均密度は、表面シート３および液透過層５よりも高くなっており、液獲得層６の平均密度よりもその下の液吸収層４の繊維密度が高くなっている。液獲得層６の縦リブ６ａが液透過層５に接し、凹部６ｃの底部６ｄが液吸収層４に接しているため、前記密度勾配により、経血は表面シート３から液透過層５を経て液獲得層６へ移行しやすく、さらに液獲得層６から液吸収層４へ移行しやすい。また、前記のように、液獲得層６の凹部６ｃの壁部６ｅに繊維が離れて密度が低くなった部分、さらには亀裂が存在しているため、前記凹部６ｃに一時的に留められた経血は、速やかに液吸収層４に移行できるようになる。
【００６５】
経血が、液案内層５から液獲得層６へ速やかに移行し、また液獲得層６から液吸収層４に迅速に与えられるようにするために、液獲得層６の平均密度は、０．０５〜０．２５ｇ／ｃｍ３が好ましく、この液獲得層６の下に位置する液吸収層４の繊維密度は、０．０７〜０．２５ｇ／ｃｍ３が好ましい。
【００６６】
前記縦リブ６ａの（１／２）・ｈ１の高さ位置での幅寸法、および横リブ６ｂの（１／２）・ｈ２の高さ位置での幅寸法は２〜１０ｍｍであり、好ましくは２〜６ｍｍである。また液獲得層６の高さｈ１は、１．３〜５ｍｍである。表面シート３を透過した経血を凹部６ｃで充分に溜めることができるためには、１つの前記凹部６ｃの（１／２）・ｈ２の高さ位置での開口面積は５〜２０ｍｍ２であることが好ましく、また凹部６ｃの空間容積｛前記面積×（高さｈ１−吸水性シートの厚み）｝は、８〜８０ｍｍ３であることが好ましい。
【００６７】
また１つの凹部６ｃの（１／２）・ｈ２の高さ位置での開口寸法の縦横比、すなわち（Ｙ方向の縦寸法）／（Ｘ方向の横幅寸法）は、１．１〜１０の範囲が好ましく、さらに好ましくは１．５〜７、最も好ましくは２〜５である。縦横比が前記範囲未満であると、液獲得層６で獲得した経血を縦方向へ案内する機能が低下して、横方向へ拡散が増大するおそれが生じ、縦横比が前記範囲を越えると、横リブ６ｂどうしの間隔が広くなりすぎて、大腿部などから横方向に向く圧縮力を受けたときに、横方向へ広がろうとする弾性復元力が低下する。
【００６８】
この液獲得層６は、横リブ６ｂが縦方向へ間隔を空けて形成されているため、生理用ナプキン１に対して、前縁部１ｃと後縁部１ｄとが接近する方向で且つ肌側表面が凹となるように湾曲する力が作用したときに、液獲得層６はこの変形に追従して湾曲しやすくなる。特に凹部６ｃの縦横比が前記範囲内であると、液獲得層６が前記方向へ湾曲しやすくなる。生理用ナプキン１の湾曲変形に液獲得層６が追従することにより、液獲得層６と液透過層５との界面の剥離が生じにくくなる。
【００６９】
図４に示すように、横リブ６ｂは横方向（Ｘ方向）に向けて互い違いに配置されているため、液獲得層６が前記のように縦方向に向けて湾曲しやすくなる。さらに、横リブ６ｂの高さｈ２が縦リブｈ１よりも低いために、液獲得層６は側縁部６ｈと６ｈが互いに接近ししかも肌側に向く面が凹状となる方向へも変形しやすくなる。
【００７０】
前記液吸収層４は、粉砕パルプ、マーセル化パルプ、クロスリンクパルプなどのパルプの集合体に、ポリアクリル酸塩、ポリアクリルアミド、無水マレイン酸塩などの合成吸水ポリマーや、デンプン、セルロースなどの天然系の吸収ポリマーが含まれているものであり、パルプおよび前記合成吸水ポリマーなどが、親水性のティシューペーパで包まれたものが使用される。
【００７１】
前記裏面シート２は、液不透過性で且つ通気性のシートであり、微細な通気孔が形成されたポリエチレン（ＰＥ）フィルム、あるいはポリプロピレン（ＰＰ）フィルムなどである。例えば、プラスチックシートにＣａＣＯ３、ＢａＳＯ４等の無機フィラーを混合させて延伸処理することにより、微細な通気孔が適切に分散して形成され、通気性を向上させた、厚みが１５〜５０μｍ程度のフィルムを形成できる。
【００７２】
図２に示すように、肌側表面の左右両側には不透液性シート３０が設けられており、前記ウイング部１Ａ，１Ａでは、前記不透液性シート３０，３０が、裏面シート２の上にホットメルト接着剤で接着されている。縦方向中心線Ｏｙ−Ｏｙから左右に等距離離れた位置で、不透液性シート３０が２枚重ねに折り畳まれ、その内部に縦方向に延びる弾性部材３２が接着されている。前記弾性部材３２により、生理用ナプキン１の前方部分と後方部分との間に弾性収縮力が作用して生理用ナプキン１を湾曲させる力が作用し、その結果生理用ナプキン１の前後の中間部分で、不透液性シート３０，３０が立ち上がって防漏壁３１，３１が形成される。
【００７３】
前記不透液性シートは、スパンボンド不織布、メルトブローン不織布、あるいはこれらを積層した複合不織布で形成されている。
【００７４】
液吸収層４の目付けは、中央領域２０において最も大きく、内側圧縮溝１１，１１と外側圧縮溝１６，１６とで挟まれた部分の目付けは、前記中央領域２０よりも小さい。それ以外の部分の液吸収層４の目付けは、内側圧縮溝１１，１１と外側圧縮溝１６，１６とで挟まれた部分と同等かあるいは少し小さくなっている。
【００７５】
中央領域２０での液吸収層４の好ましい目付けは、４００〜１２００ｇ／ｍ２であり、さらに好ましくは、５００〜１０００ｇ／ｍ２である。前記内側圧縮溝１１，１１と外側圧縮溝１６，１６とで挟まれた部分の好ましい目付けは、３００〜９００ｇ／ｍ２であり、さらに好ましくは３５０〜６００ｇ／ｍ２である。またその他の部分の液吸収層４の好ましい目付けは、２００〜７００ｇ／ｍ２であり、さらに好ましくは３００〜５００ｇ／ｍ２である。
【００７６】
その結果、図２に示すように中央領域２０で厚みが大きくなり、中央領域２０では、肌側表面が身体に向けて大きく膨らんだ形状となる。
【００７７】
中央領域２０の縦方向の寸法、すなわち前方連結圧縮溝１２と後方連結圧縮溝１３との縦方向の間隔は、５０ｍｍ以上である。図２に示す横方向基準線Ｏｘ−Ｏｘ上での中央領域２０の幅寸法Ｗ１は、女性の性器の幅に応じて決められる。女性の股間部の幅の平均は３０ｍｍ程度であるため、前記幅寸法Ｗ１は、１５〜５０ｍｍの範囲が好ましく、さらに２０〜４０ｍｍの範囲が好ましい。
【００７８】
この生理用ナプキン１を身体に装着するときには、裏面シート２の外面に設けられた感圧接着剤を、図２に示すクロッチ布２６の内面に接着し、ウイング部１Ａ，１Ａを、クロッチ布２６の両側縁部を巻き込むようにして、下着の外面に向けて曲げ、ウイング部１Ａ，１Ａの着衣側表面に設けられた感圧接着剤をクロッチ布２６の外面に接着する。
【００７９】
図２に示すように、この生理用ナプキン１は、中央領域２０が身体に向けて膨らんでいるため、この中央領域２０が膣口に密着しやすくなっている。前記中央領域２０の肌側表面に位置する表面シート３は低密度のエアースルー不織布であり、その下には嵩高のエアースルー不織布の液透過層５が設けられている。そのため、中央領域２０が身体の前記各部分に与える接触感触が軟質である。
【００８０】
膣口から排泄された経血は、主に中央領域２０に与えられる。表面シート３は低密度の不織布であるため、経血は表面シート３内に浸透するが、表面シート３に撥水性油剤をコーティングした繊維が含まれているため、表面シート３での経血の拡散は抑制される。表面シート３の下に位置する液透過層５はエアースルー不織布で内部に空隙を有しているため、経血は重力によって液透過層５の空隙内を通過し、その下に位置する液獲得層６に落下する。ただし、中央領域２０に与えられた経血の多くは、液透過孔２５内を速やかに通過して、直接に液獲得層６に向けて落下する。
【００８１】
液獲得層６は、吸水性シート８で形成されているため、液獲得層６に落下した経血は吸水性シート８で吸収され、さらにその下に位置する液吸収層４に与えられる。表面シート３に一時に多くの経血が与えられると、この経血が液透過孔２５を透過して液獲得層６に落下するが、この経血は液獲得層６の凹部６ｃ内に直ちに蓄えられるため、経血の排泄量が多くても、これが表面シート３や液透過層５に長い時間滞留することがない。よって中央領域２０の肌側表面が乾燥に近い状態を保てるようになり、装着者の股間部に湿潤感や蒸れ感を与えにくくなっている。
【００８２】
液獲得層６の凹部６ｃに与えられた経血は凹部６ｃの底部６ｄから液吸収層４に浸透し、また凹部６ｃの壁部６ｅでの密度の低い部分や亀裂を透過して液吸収層４に速やかに吸収される。また、多くの経血が凹部６ｃに与えられ、いずれかの凹部６ｃにおいて、その空間容積よりも経血の量が多くなった場合、この経血は低い高さの横リブ６ｂを越えて縦方向に隣接する凹部６ｃに移行していく。一方、凹部６ｃの両側に位置する縦リブ６ａは縦方向に平行に延びてその頂部が液透過層５に接触して接着されているために、液獲得層６において経血が横方向に拡散しにくくなっている。よって多量の経血が与えられたときに、この経血は縦方向に並ぶ凹部６ｃに順次移行しながら液吸収層４で吸収されていくようになる。
【００８３】
さらに、前記液獲得層６の左右両側部には、縦方向に延びる平坦部６ｆ，６ｆが形成されている。この平坦部６ｆ，６ｆは縦リブ６ａよりも繊維密度が低いため、液獲得層６を横方向（Ｘ方向）へ伝わる経血が存在しても、前記平坦部６ｆ，６ｆが横方向へ拡散する経血を止める機能を発揮できる。よって、横方向への洩れの不安を低減できる。
【００８４】
また、液獲得層６の両側縁部６ｈ，６ｈからさらに横方向へ経血が移行したときに、この経血は、両側に位置する内側圧縮溝１１，１１により留められ、さらにその外側に位置する外側圧縮溝１６，１６によっても留められるため、生理用ナプキン１からの横方向への液漏れを効果的に抑止できる。
【００８５】
液獲得層６を形成する吸水性シート８は合成樹脂繊維を含んでいるため、経血を吸収した湿潤状態においても立体的な形状を保てるようになり、股間部からの圧力が中央領域２０に作用しても、その圧力が除去されたときに、図４に示す立体形状に復元できるようになる。特に、縦リブ６ａと横リブ６ｂが設けられているため、液獲得層６は弾性復元機能が優れている。
【００８６】
次に、前記生理用ナプキン１の製造方法を説明する。
まず、液獲得層６を図４に示す立体形状に賦形する工程を説明する。
【００８７】
図７は、液獲得層６を形成するための上型４０を示す斜視図であり、図８は下型５０を示す斜視図である。図９は前記上型４０のＩＸ−ＩＸ線での断面図である。
【００８８】
図７に示す上型４０には、複数の凸部４１と、隣接する前記凸部４１と凸部４１との間に位置する溝部４２とが、共に縦方向（Ｙ方向）に延びて互いに平行に形成されている。前記凸部４１には、縦方向（Ｙ方向）に間隔を開けて凹部４３が形成されている。いずれかの凸部４１に形成されている凹部４３は、隣接する凸部４１に形成された凹部４３と凹部４３との中間に位置している。すなわち隣接する凸部４１と凸部４１との間では、前記凹部４３が互い違いに配列されている。
【００８９】
図９に示すように、凸部４１と凹部４３との境界部では、凸部４１の端部４１ａが円弧曲線を描いて凹部４３に連続している。図９に示すように、前記溝部４２の底面４２ａから前記凸部４１の頂部までの高さ寸法Ｈ１は、前記底面４２ａから前記凹部４３の頂部までの高さ寸法Ｈ２よりも高くなっている。
【００９０】
図８に示す下型５０は、縦方向（Ｙ方向）に延びる凸条部５１が互いに平行に形成されており、隣接する前記凸条部５１，５１の間に溝部５２が形成されている。上型４０の隣接する凸部４１のピッチと、下型５０の隣接する溝部５２のピッチは同一である。
【００９１】
前記上型４０の表面と下型５０の表面とが、芯鞘型合成繊維の鞘部のポリエチレンの融点よりも低い１２０℃程度に加熱された状態で、図１０に示すように、上型４０と下型５０との間に吸水性シート８が挟まれる。上型４０と下型５０は、凸部４１が溝部５２に入り込み、凸条部５１が溝部４２に入り込むように組み合わされる。ただし、上型４０の凸部４１の頂部と下型５０の溝部５２の底面との間に若干のクリアランスが保たれ、下型５０の凸条部５１の頂部と、上型４０の溝部４２の底面との間に若干のクリアランスが保てるように、上型４０と下型５０は互いに加圧されないように組み合わされる。
【００９２】
その結果、図１０（Ａ）に示すように、下型５０の凸条部５１によって縦リブ６ａが形成され、上型４０の凸部４１によって凹部６ｃが形成される。また上型４０の凹部４３によって吸水性シート８が軽く加圧されて、この凹部４３によって前記横リブ６ｂが形成される。
【００９３】
なお、上型４０の両側部には縦方向に延びる平面４４，４４が形成され、下型５０の両側部にも縦方向に延びる平面５３，５３が形成されている。そして、この平面４４，４４と平面５３，５３とで挟まれた部分では、吸水性シート８が加圧されず、前記平坦部６ｆ，６ｆが形成される。
【００９４】
上型４０と下型５０が、複合合成繊維の融点よりもやや低い温度に加熱されて、且つ上型４０と下型５０とがクリアランスを保った状態で、吸水性シート８が挟み込まれる。前記温度で且つ型どうしがクリアランスを有するように噛み合わされて吸水性シート８が成型されるため、液獲得層６では繊維が溶融してフィルム状となる部分が存在せず、液の透過機能を妨げることがない。また複合合成繊維が軟化する程度の温度で加熱されることにより、成型後に図４に示す立体形状を保てるようになる。
【００９５】
液獲得層６の凹部６ｃは、縦方向の寸法が短く区切られている凸部４１によって加圧されて形成されるため、凹部６ｃの壁部６ｅとなるシートにＸ方向とＹ方向の双方の引張り応力が集中する。よって、凹部６ｃの壁部６ｅを形成している繊維の間隔が広げられ、さらに場所によっては亀裂が発生する。このとき、縦方向に連続している凸条部５１によって縦リブ６ａを加圧して形成することで、縦リブ６ａの頂部では繊維密度を高くすることもでき、同様に凹部６ｃの底部６ｄの繊維密度も高くすることができる。また横リブ６ｂの頂部の繊維密度も、前記壁部６ｅよりも高くなる。
【００９６】
なお、液獲得層６を量産するときには、図７に示す上型４０は、Ｙ方向が周方向でＸ方向が軸方向となるようにロール表面に形成され、図８に示す下型５０も、Ｙ方向が周方向でＸ方向が軸方向となるようにロール表面に形成され、両ロールがクリアランスを有して対向し、その間に吸水性シート８が供給されて液獲得層６が形成される。
【００９７】
生理用ナプキン１の製造工程は、表面シート３と液透過層５を重ねて、前記液透過孔２５を形成する。次に、液透過層５の裏に液獲得層６の縦リブ６ａおよび平坦部６ｆ，６ｆをホットメルト接着剤で接着する。さらに液獲得層の凹部６ｃの下面を液吸収層４にホットメルト接着剤で接着する。表面シート３、液透過層５、液獲得層６および液吸収層４を重ねた状態で、圧縮溝１０を形成する。その後に、液吸収層４の着衣側表面に裏面シート２を重ねて接着し、肌側表面には、前記不透液性シート３０を接着する。
【００９８】
なお、液獲得層６の両側部には縦方向に延びる平坦部６ｆ，６ｆが形成されており、この平坦部６ｆ，６ｆは、凹部６ｃの壁部６ｅのように繊維間が広げられておらず、ある程度の剛性を有し、しかも密度が均一である。よって、生理用ナプキン１の組立工程では、例えばサクションベルトに前記平坦部６ｆ，６ｆを吸引して液獲得層６を搬送することが可能であり、このサクションベルトにより、液獲得層６をその立体形状を維持したまま供給することができる。
【００９９】
前記液獲得層６は、１枚の吸水性シート８で形成することもできるが、複数枚の吸水性シート８を重ねて形成することもできる。図５（Ｂ）は２枚の吸水性シート８Ａと８Ｂを重ねて液獲得層６を形成した例を示している。２枚の吸水性シート８Ａと８Ｂのそれぞれは、前記吸水性シート８と同じ素材で形成されている。
【０１００】
液獲得層６を立体形状とする際に、凹部６ｃの壁部６ｅに張力が作用して繊維の間隔が広げられ、場所によっては亀裂が形成される。ただし、複数枚の吸水性シートを重ねて用いていると、前記壁部６ｅにおいて複数の吸水性シートのそれぞれにおいて繊維密度が低くなる部分や亀裂が生じる部分が異なるようになって一箇所に集中することがなくなる。よって、凹部６ｃの壁部６ｅの全体の強度の低下を防止でき、体圧が作用し、平坦な状態に潰された後に、立体形状への復元性を高くできる。
【０１０１】
また、複数枚の吸水性シートが部分的に接着されたものを使用することができる。複数枚の吸水性シートが熱可塑性繊維を含んでいる場合には、繊維どうしの融着により吸水性シートどうしを接着することができる。あるいは、吸水性シートを接着剤で接着してもよい。図７ないし図１０に示すように、加熱した型を用いて液獲得層６を立体形状にするときに、型の熱により吸収性シートをフィルム状とならない程度の圧力で接着することができる。または、複数の吸水性シートを予めドット状の接着部で熱接着しておき、この熱接着された吸収性シートの積層体によって、液獲得層６を立体形状に賦形してもよい。
【０１０２】
複数枚の吸収性シートを接合する際に、その接合箇所は、縦リブ６ａ、横リブ６ｂ、凹部６ｃの壁部６ｅ、凹部の底部６ｄのいずれかであればよい。あるいは接合箇所が、前記全ての部分にランダムに形成されていてもよい。ただし、少なくとも凹部６ｃの壁部６ｅにおいて液吸収シートどうしが接合されていることが好ましい。
【０１０３】
縦リブ６ａと横リブ６ｂの部分に吸水性シートどうしの接着部が設けられていると、縦リブ６ａと横リブ６ｂの骨格構造を強くできる。また前記のように凹部６ｃの壁部６ｅでは、繊維密度が極端に低くなっているため、この部分で吸水性シートの接着部が設けられていると、凹部６ｃの剛性を高めて、凹部６ｃの形状を維持しやすくなる。また、凹部６ｃの底部６ｄに接着部が設けられている場合には、この部分の密度を高くでき、その結果、液獲得層６に与えられた経血を凹部６ｃの底部６ｄに集中させて液吸収層４に与えることが可能となる。
【０１０４】
図１１は本発明の吸収性物品の第２の実施の形態の生理用ナプキン１００を示す平面図である。なお、図１に示す実施の形態と同じ構造の部分は同じ符号を付して詳しい説明を省略する。
【０１０５】
この生理用ナプキン１００は、就寝中などに使用するのに適したロングタイプであり、縦方向（Ｙ方向）の全長寸法は、ほぼ２００〜４５０ｍｍであり、両側縁部１ａ，１ｂは、横方向基準線Ｏｘ−Ｏｘから後縁部１ｄへ向かうにしたがって徐々に広くなるように膨らんだ形状となり、臀部に当たる後方フラップ１Ｂ，１Ｂが形成されている。
【０１０６】
肌側表面には、内側圧縮溝１１，１１が縦長に形成されている。内側圧縮部１１，１１の前方部分１１Ａ，１１Ａは、縦方向中心線Ｏｙ−Ｏｙに向けて凸状の円弧曲線パターンである。また内側圧縮溝１１，１１には、前記前方部分１１Ａ，１１Ａの後方で対向間隔が広がる変曲部１１Ｂ，１１Ｂが形成されており、さらに後方部分１１Ｄ，１１Ｄは、後縁部１ｄに向かうにしたがって徐々に狭くなり、後方連結圧縮溝１３Ａにより互いに連結されている。
【０１０７】
内側圧縮溝１１，１１、前方連結圧縮溝１２および後方連結溝１３Ａで囲まれた部分が中央領域２０である。中央領域２０は、前記前方部分１１Ａ，１１Ａで挟まれた部分が、主に女性の膣口に対向する前方中央領域２０Ａであり、変曲部１１Ｂ，１１Ｂで挟まれた部分が、主に女性の会陰部に対向する中間中央領域２０Ｂであり、後方部分１１Ｄ，１１Ｄで挟まれた部分が、主に肛門と臀部の溝に対向する後方中央領域２０Ｄである。
【０１０８】
また、内側圧縮溝１１，１１の前方部分１１Ａ，１１Ａの左右両外側には、図１と同様の外側圧縮溝１６，１６が形成され、内側圧縮溝１１，１１の後方部分１１Ｄ，１１Ｄの左右外側には後方外側圧縮溝１７，１７が形成され、この後方外側圧縮溝１７，１７は後縁部１ｄの内側で互いに連結されている。
【０１０９】
この実施の形態では、液透過層５が前縁部１ｃから後縁部１ｄにかけて帯状に形成されて設けられ、また前記中央領域２０には、図４に示したのと同じ立体形状の液獲得層６が設けられている。
【０１１０】
中央領域２０は、前方連結圧縮溝１２から後方連結圧縮溝１３Ａまでの縦方向の長さが１２０〜３５０ｍｍの長い範囲に形成されているが、前記液獲得層６は、少なくとも膣口に対向する部分である前方中央領域２０Ａに設けられる。または図１１に示すように、前記液獲得層６が前方中央領域２０Ａと、会陰部に対向する中間中央領域２０Ｂにかけて設けられていてもよい。
【０１１１】
【実施例】
以下の各層を形成する
（ａ）表面シート３
酸化チタンを繊維質量の１．１％の割合で含んだポリエチレンテレフタレートが芯部、ポリエチレンが鞘部の芯鞘型複合合成繊維（２．２ｄｔｅｘ、繊維長４４ｍｍ）で形成したエアースルー不織布で、目付けが２５ｇ／ｍ２のものを用いた。
【０１１２】
以下の測定では幅が１３０ｍｍで、長さが２００ｍｍで重さが０．６３７ｇのものを用いた。
【０１１３】
（ｂ）液透過層５
芯部がポリプロピレンで鞘部がポリエチレンの断面が偏芯形状の芯鞘型複合合成繊維（４．４ｄｔｅｘ、繊維長５０ｍｍ）のエアースルー不織布（目付け２０ｇ／ｍ２）で、平均厚みが１．７５ｍｍで平均密度が０．０１７５ｇ／ｃｍ３のものを３枚重ねに折り畳んだものを用いた。
【０１１４】
以下の測定では幅が１００ｍｍで、長さが２００ｍｍで重さが０．４１５ｇのものを用いた。
【０１１５】
（ｃ）液透過孔２５
前記表面シート３と液透過層５を重ね、１００℃のピンを有するロールと、前記ピンが入る穴を有する７０℃のロールとで、表面シート３から液透過層５を貫通する液透過孔２５を形成した。液透過孔２５の開口直径は２ｍｍ、ピッチはＹ方向に５．５ｍｍ、Ｘ方向に３．５ｍｍの配列とした。
【０１１６】
（ｄ）液獲得層６
化学パルプを６０質量％、芯部がポリエチレンテレフタレートで鞘部がポリエチレンの芯鞘型複合合成繊維（１．７ｄｔｅｘ、繊維長１３ｍｍ）を２６質量％、エチレン酢酸ビニル共重合体のエマルジョン接着剤を１４質量％含むエアレイド不織布（エアレイドパルプ）で、目付けが４０ｇ／ｍ２のものを２枚重ねに折り畳んだものを吸水性シート８として使用した。
【０１１７】
以下の測定では幅が５０ｍｍで、長さが１００ｍｍで重さが０．２０５ｇのものを用いた。
【０１１８】
表１の比較例１は、前記吸水性シート８を立体に変形させることなく、そのまま液獲得層６として使用した。乾燥状態の前記吸水性シート８の５回測定の平均厚みは０．９２８ｍｍであった。
【０１１９】
立体に成型する前の前記吸水性シート８の平均密度は０．０７５ｇ／ｃｍ３で、液獲得層６が立体形状とされた後に測定したＹ方向とＸ方向の乾燥時の引張り破断強度は、それぞれ３．４６Ｎ／２５ｍｍ、および２．８３Ｎ／２５ｍｍ、であった。
【０１２０】
前記吸水性シート８を立体成型して液獲得層６を得た。縦リブ６ａのｈ１／２の高さでの幅寸法を３ｍｍ、横リブ６ｂのｈ２／２の高さでの幅寸法を２．５ｍｍ、ｈ２／２の高さ位置での凹部６ｃの開口面積を１５ｍｍ２とした。
【０１２１】
ただし、表１に示す比較例２、実施例１〜実施例８のそれぞれにおいて、前記上型４０と下型５０の対向クリアランスを変化させて、乾燥状態での液獲得層６の厚み（図６のｈ１）を変化させた。
【０１２２】
比較例２は、前記厚みが１．１９２ｍｍであるため、凹部６ｃの空間容積は、｛１５×（１．１９２−０．９２８）｝＝３．９６ｍｍ３、同様に計算すると、実施例の中で最も厚みの小さい実施例２は、８．６１ｍｍ３、最も厚みの大きい実施例８は、３２．６４ｍｍ３である。すなわち実施例での凹部の空間容積は８．６１から３２．６４ｍｍ３であった。
【０１２３】
（ｅ）液吸収層４
化学パルプ８ｇ、吸水性ポリマー０．１５ｇを均一に混合させて、幅７０ｍｍ、長さ２００ｍｍで密度０．０６９ｇ／ｃｍ３の積層体を１５ｇ／ｍ２のティッシュペーパで包んだものを液吸収層４とした。
【０１２４】
（１）厚みの測定
乾燥時と湿潤状態の加圧後に厚みの測定は大栄科学精器製作所社製のＵＦ−６０Ａで測定した。
【０１２５】
（２）ドリップ性試験
表１の比較例１ないし実施例８のそれぞれの液獲得層６を容積が５０ｍｌのビーカーの開口部に固定する。液獲得層６の中央部から上方へ５ｍｍ離したところから、オートビューレットを用いて人工経血を３ｍｌ／ｍｉｎの流量で連続的に落下させる。そして、落下を開始してから、最初にビーカー内に液が落ちるまでの時間を測定した（単位は秒）。
【０１２６】
ここで、人工経血は、４リットルのイオン交換水に、グリセリン３００ｇ、カルボキシメチルセルロースのナトリウム塩を３０ｇ、塩化ナトリウム４０ｇを加えて攪拌し、赤色食紅で着色したものを用いた。
【０１２７】
（３）加圧吸収試験
図１２（Ｂ）に示すように、平坦な試験台６１の上に、液吸収層４、液獲得層６、および液透過層５と表面シート３が一体とされたものを順に重ねる。最上部に図１２（Ａ）に示す寸法のアクリル板６２をその開口部６２ａが中央に一致するように設置する。そして、開口部６２ａの前後にそれぞれ９００ｇの重り６３、６３を乗せる。なお、アクリル板の自重は１１５ｇであった。
【０１２８】
前記人工経血を、オートビューレットを用いて、前記開口部６２ａ内に、９５ｍｌ／ｍｉｎの流量で与える。１回目は３ｍｌを与え、液を供給し始めてから、開口部６２ａにおいて表面シート３の表面に液が無くなるまでの時間（秒）を測定する。１回目に表面シート３の表面に液が無くなってから３０秒経過した後に、２回目として４ｍｌを与えて同様にして浸透時間を測定する。２回目の液が表面シート３の表面から無くなった後に、５分間経過後に、３回目として３ｍｌの液を与え、同様にして浸透時間を測定する。
【０１２９】
３回目に供給した液が表面シート３の表面から無くなった後の、１分経過後に、アクリル板６２と重り６３，６３を外し、それぞれの液獲得層６の厚みを測定する。また、（加圧後の前記厚み／乾燥時の厚み）×１００（％）を厚み変化率として計算した。
測定結果を以下の表１に示す。
【０１３０】
【表１】
2004181087.tif 000003
【０１３１】
表１から、各実施例では、ドリップ性、加圧吸水性試験での液透過性が良好であることを確認できた。
【０１３２】
なお、前記実施の形態では、表面シート３の下に液案内層５が存在し、その下に液獲得層６が設けられているが、前記表面シート３の下に直接に前記液獲得層６が存在していてもよい。
【０１３３】
【発明の効果】
以上のように本発明では、一時に多量に液が与えられたときに、これを表面シートの下で保持してから、液吸収層に直ちに吸収させることができ、表面シートでの液残りを防止できる。
【図面の簡単な説明】
【図１】本発明の吸収性物品の実施の形態の生理用ナプキンを示す平面図、
【図２】図１に示す生理用ナプキンが下着のクロッチ布に装着された状態を横方向基準線で切断したＩＩ−ＩＩ矢視の断面図、
【図３】液透過孔の開孔状態および液獲得層を示す拡大断面図、
【図４】液獲得層の斜視図、
【図５】図４のＶ−Ｖ線の断面図、
【図６】図４のＶＩ−ＶＩ線の断面図、
【図７】液獲得層を立体とするための上型の斜視図、
【図８】液獲得層を立体とするための下型の斜視図、
【図９】図７のＩＸ−ＩＸ線の断面図、
【図１０】上型と下型で液獲得層を立体成型している状態を示す断面図、
【図１１】本発明の第２の実施の形態の吸収性物品として縦長の生理用ナプキンを示す平面図、
【図１２】（Ａ）は加圧吸収試験に使用するアクリル板の平面図、（Ｂ）は前記加圧吸収試験を説明する断面図、
【符号の説明】
１  生理用ナプキン
２  裏面シート
３  表面シート
４  液吸収層
５  液透過層
６  液獲得層
６ａ  縦リブ
６ｂ  横リブ
６ｃ  凹部
６ｄ  底部
１０  圧縮溝
１１  内側圧縮溝
２０  中央領域
２５  液透過孔
【図１】
2004181087.tif 000004
【図２】
2004181087.tif 000005
【図３】
2004181087.tif 000006
【図４】
2004181087.tif 000007
【図５】
2004181087.tif 000008
【図６】
2004181087.tif 000009
【図７】
2004181087.tif 000010
【図８】
2004181087.tif 000011
【図９】
2004181087.tif 000012
【図１０】
2004181087.tif 000013
【図１１】
2004181087.tif 000014
【図１２】
2004181087.tif 000015